(57)【要約】【課題】処理剤を保持した保持体を収容した包装体であって、被処理物に処理剤を容易に塗布することができ、さらに剥離シート等の不要物（ごみ）が発生しない、使い勝手の良い包装体を提供すること。【解決手段】処理剤を保持した保持体５と該保持体５を収容した包装袋１１とを有する包装体であって、包装袋１１の一面を形成しているシート２ａを、把持片３と、該把持片３の一端が連結している本体部分４とを生じるように引き裂き可能であり、前記包装袋１１が引き裂かれた開封状態において、前記保持体５が、前記把持片３及び前記本体部分４のそれぞれにおける前記包装袋１１の内側に向けられていた内面３１上に位置する、包装体。【選択図】図２
2018034892.tif 000002
【特許請求の範囲】
【請求項１】
処理剤を保持した保持体と該保持体を収容した包装袋とを有する包装体であって、
前記包装袋の一面を形成しているシートを、把持片と、該把持片の一端が連結している本体部分とを生じるように引き裂き可能であり、
前記包装袋が引き裂かれた開封状態において、前記保持体が、前記把持片及び前記本体部分のそれぞれにおける前記包装袋の内側に向けられていた内面上に位置する、包装体。
【請求項２】
前記保持体は、前記把持片の前記内面に固定されている、請求項１に記載の包装体。
【請求項３】
前記保持体は、前記本体部分の前記内面に固定されている、請求項１又は２に記載の包装体。
【請求項４】
前記シートは、引き裂き方向に引き裂き直進性を有している、請求項１〜３の何れか１項に記載の包装体。
【請求項５】
前記保持体は、前記本体部分上に位置する部分と前記把持片上に位置する部分とが連続しており、これら両部分間に位置する折り曲げ部が、前記把持片と前記本体部分との連結部側に位置するように折り畳まれた状態で前記包装袋に収容されている、請求項１〜４の何れか１項に記載の包装体。
【請求項６】
前記開封状態において、前記保持体は、前記本体部分上に位置する部分と前記把持片上に位置する部分とが同等の面積である、請求項１〜５の何れか１項に記載の包装体。
【請求項７】
前記本体部分は、前記シートの引き裂き方向と交差する方向の片側又は両側にポケット部を有する、請求項１〜６の何れか１項に記載の包装体。
【請求項８】
前記包装袋は、前記シートの引き裂き方向と交差する方向の片側又は両側に、前記シートと該シートと対向する対向シートとが接合された固定シール部を有し、前記シートの引き裂き位置が、前記引き裂き方向と交差する方向において、前記固定シール部より中央側に位置している、請求項１〜７の何れか１項に記載の包装体。
【請求項９】
前記包装袋は、前記シートの引き裂き方向における中央位置より基端側に、前記シートと該シートと対向する対向シートとが接合された開封シール部を有し、前記シートを引き裂く際に、該開封シール部におけるシート間が剥離する、請求項１〜８の何れか１項に記載の包装体。
【請求項１０】
前記処理剤が、シャンプー剤、リンス剤、ヘアトリートメント剤、プレヘアトリートメント剤、ヘアカラーリング剤、脱色剤、パーマネント液、永久染毛剤、半永久染毛料、一時染毛料、整髪剤、ヘアトニック剤、又は育毛・養毛剤である、請求項１〜９の何れか１項に記載の包装体。
【請求項１１】
前記処理剤が、マニキュア、ペディキュア、口紅、リップクリーム、リップグロス、保湿クリーム、日焼け止めクレーム、ファンデーション、アイシャドー、虫除け剤、消毒剤、又は除菌剤である、請求項１〜９の何れか１項に記載の包装体。
【請求項１２】
請求項１〜１１の何れか１項に記載の包装体を用いた処理剤の塗布方法であって、
前記包装袋の一面を形成しているシートを引き裂いて前記把持片と前記本体部分とを形成する工程、及び
前記把持片と前記本体部分との間に被塗布物を挟み、前記保持体の前記処理剤を該被塗布物に塗布する工程、を具備する処理剤の塗布方法。
【発明の詳細な説明】
【技術分野】
【０００１】
本発明は、包装体及び処理剤の塗布方法に関する。
【背景技術】
【０００２】
従来、包装袋を引き裂いて、包装袋の内部に密封した保持体等を露出させて使用する包装体が知られている。
【０００３】
本出願人は、先に、内部に液体香料を含浸した担体を密封し、密封体を引き剥がしたり、切断したりして開封する芳香具を提案した（特許文献１）。特許文献１に記載の芳香具によれば、内部に密封された収容空間を有する矩形状のピロー袋に、未接合部分の上端縁部から下端縁部に向かって平行に延長する一対の引き剥がし案内溝が設けられており、さらに引き剥がし案内溝に挟まれる矩形フィルムの上端縁部には摘み片が連結接合されていて、この摘み片を摘んで下方に引き下げることにより、矩形フィルムが案内溝に沿って引き剥がされて、ピロー袋が開封されることになる。
【０００４】
また特許文献２には、背貼り部と、包装袋の縁部に沿って形成された上下一対の縁シール部により内容物が封入される本体部とを有する包装袋であって、前記背貼り部と前記縁シール部とが重なり合う部分において、背貼り部および本体部の内側のフィルムに切欠または開口が形成され、この切欠または開口を通して背貼り部および本体部の外側のフィルムの内面同士がシールされることにより、前記背貼り部が倒された状態に固定され、前記背貼り部をシールする背貼りシール部から前記フィルムの端部までの間が未シール部とされ、前記背貼り部の内側のフィルムの未シール部が、前記背貼り部の外側のフィルムの端部から露出されていることを特徴とする包装袋が記載されている。
【０００５】
特許文献３には、支持体の一方の面に設けられた粘着剤層と、該粘着剤層に剥離可能に付着される剥離シートから構成される粘着テープ包装袋において、剥離シートが、第１部分と、該第１部分に対向する第２部分とからなり、粘着剤層が外側に向くように粘着テープが第１部分と第２部分とに折り曲げられ、剥離シートの第１部分と第２部分との間に、折り曲げられた粘着テープが封じられ、粘着テープの第１部分と第２部分との間に仮止め手段が設けられ、剥離シートの第１部分と粘着シートの第１部分との間に部分的に付着力抑制手段が設けられ、付着力抑制手段とは別の部分にて、剥離シートの第２部分と粘着シートの第２部分との間に部分的に他の付着力抑制手段が設けられている、粘着テープ包装袋が記載されている。
【先行技術文献】
【特許文献】
【０００６】
【特許文献１】特開２０００−２２９０１２号公報
【特許文献２】特開２０１２−１０６７４８号公報
【特許文献３】特開２０１１−８４３３８号公報
【発明の概要】
【発明が解決しようとする課題】
【０００７】
しかし、特許文献１に記載の芳香具は、被処理物に処理剤を塗布する用途ではないため、担体をピロー袋とともに塗布する用途には使い難い。また、特許文献２に記載の包装袋は、内容物の取り出しは簡単だが、内容物を包装袋とともに用いることは困難であった。また、特許文献３に記載の包装体は、収容されている折り曲げられた粘着テープを貼り易くしているが、処理剤を塗布することに用いるには作業性に改善の余地があった。
【０００８】
本発明の課題は、従来技術が有する解決課題を解決し得る包装体及び処理剤の塗布方法を提供することにある。
【課題を解決するための手段】
【０００９】
本発明は、処理剤を保持した保持体と該保持体を収容した包装袋とを有する包装体であって、前記包装袋の一面を形成するシートを、把持片と、該把持片の一端が連結している本体部分とを生じるように引き裂き可能であり、前記包装袋が引き裂かれた開封状態において、前記保持体が、前記把持片及び前記本体部分のそれぞれにおける前記包装袋の内側に向けられていた内面上に位置する、包装体を提供するものである。
【００１０】
また本発明は、前記包装体を用いた処理剤の塗布方法であって、
前記包装袋の一面を形成しているシートを引き裂いて前記把持片と前記本体部分とを形成する工程、及び
前記把持片と前記本体部分との間に被塗布物を挟み、前記保持体の前記処理剤を該被塗布物に塗布する工程、を具備する処理剤の塗布方法を提供するものである。
【発明の効果】
【００１１】
本発明によれば、処理剤を保持した保持体を収容した包装体であって、被処理物に処理剤を容易に塗布することができ、さらに剥離シート等の不要物（ごみ）が発生しない、使い勝手の良い包装体が提供される。
【図面の簡単な説明】
【００１２】
【図１】図１は、本発明の包装体の一実施形態である被処理物の処理具の開封前の状態を示す平面図である。
【図２】図２は、図１の処理具の包装袋を引き裂いて開封した状態を示す平面図である。
【図３】図３は、図１の処理具の製造工程を示す斜視図である。図３（Ａ）は、図１の処理具を構成するシートと保持体とを示す斜視図であり、図３（Ｂ）は、保持体を載置及び固定したシートを示す斜視図であり、図３（Ｃ）は、図３（Ｂ）のシートを２つ折りにした状態を示す斜視図である。
【図４】図４は、図１の処理具のシール部を示す平面図である。図４（Ａ）は、処理具の切り裂き方向と平行する辺に設けられた固定シール部を示し、図４（Ｂ）は、直交方向と平行する辺に設けられた開封シール部を示す。
【図５】図５は、図１の処理具を引き裂いて開封する過程を示す模式図である。
【図６】図６は、図１の処理具を用いて毛髪を処理する方法を示す模式図である。
【図７】図７は、図１の処理具を用いて毛髪を処理する別の方法を示す模式図である。
【図８】図８は、本発明の他の実施形態である処理具を、その包装袋を引き裂いて開封した状態を示す平面図である。
【発明を実施するための形態】
【００１３】
以下、本発明の包装体をその好ましい実施形態に基づき図面を参照して説明する。図１及び図２には、本発明の包装体の一実施形態である被処理物の処理具１（以下、処理具１ともいう）が示されている。
本実施形態の処理具１は、包装袋１１を引き裂き開封する前の使用前の状態においては、包装袋１１の内部に、処理剤を保持した保持体５が収容された状態となっている。より具体的には、図１に示すように、処理具１を構成するシート２が、保持体５を内部に収容するように２つに折り畳まれており、さらにその折り畳まれたシート２の略周縁部が固定シール部６，６及び開封シール部７において接合されていることで、扁平な包装袋１１が形成されている。
本実施形態の処理具１においては、１枚のシート２を２つ折りにした後、その三方の周囲を接合して扁平な包装袋１１を形成しているが、２枚の別体のシートを重ねた後、その四方の周囲を接合して包装袋を形成してもよい。
【００１４】
包装袋１１は、その一面を形成しているシート２ａと該シート２ａと対向する対向シート２ｂとで形成されている。より具体的には、包装袋１１は、図１に示すように、その外面に、厚み方向における一方の面である第１面１２及び厚み方向における他方の面である第２面１３を有しており、第１面１２を形成しているシート２ａが引き裂き可能となっている。図１において、２つ折りにして２枚重ねとなったシート２により形成されている包装袋１１の２つの外面のうちの一方であって、ノッチ９１が設けられている方の面が第１面１２、他方の面が第２面１３である。
【００１５】
本実施形態の処理具１、即ち本発明の包装体の一実施形態である処理具１は、包装袋１１の一面を形成するシート２ａを、把持片３と、該把持片３の一端が連結している本体部分４とを生じるように引き裂き可能となっている。本実施形態の包装体、即ち処理具１は、包装袋１１における第１面１２を形成するシート２ａが、該シート２ａの一端部に設けられたつまみ部９を始点に引き裂き方向Ｘへ引き裂かれると、図２に示すように、把持片３と本体部分４とを生じる。即ち、包装袋１１の一面１２を形成するシート２ａを引き裂くことにより、包装袋１１の第１面１２から把持片３が生じるとともに、包装袋１１の第１面１２及び第２面１３における把持片３以外の部分が本体部分４となる。図２に示す処理具１は、包装袋１１においてシート２を２つ折りにしていた折り畳み線を境に把持片３と本体部分４とを生じているが、この折り畳み線となっていた部分が、把持片３と本体部分４とを連結している連結部８に相当する。このように、包装袋１１を引き裂くことで処理具１を使用可能な状態（以下、開封状態ともいう）にする。
【００１６】
また、本実施形態の処理具１は、把持片３と本体部分４とが連続した１枚のシート２で形成されているが、本体部分４は把持片３の一端と連結されていればよく、例えば、把持片３と本体部分４とが連続する１枚のシートから形成されておらずに、把持片３の一端に設けられた接合部を介して把持片３と本体部分４とが連結されていてもよい。処理具１の把持片３と本体部分４とが接合部を介して連結している場合、処理具１は接合部を境に把持片３と本体部分４とに分けられる。
なお、本実施形態の包装袋１１は、包装袋１１を平面視した際に、短辺となる辺であって互いに平行な第１辺１４，１４と、長辺となる辺であって互いに平行な第２辺１５，１５とを有している（図１参照）。本実施形態の包装袋１１は、第１辺１４と平行である引き裂き方向Ｘと、該引き裂き方向Ｘと交差する方向とを有する。ここで、引き裂き方向Ｘとは、把持片３と本体部分４とが生じるように、処理具１を開封状態にするために第１面１２（シート２）を引き裂く方向である。引き裂き方向Ｘと交差する方向とは、より具体的には、引き裂き方向Ｘに直交する方向Ｙ（以下、直交方向Ｙともいう）を含む。
【００１７】
本実施形態の処理具１においては、包装袋１１の第１面１２を形成しているシート２ａを、該シート２ａの一端縁における相互に離間した２か所のそれぞれから、該一端縁と交差する方向（引き裂き方向Ｘ）に向かって引き裂いていくことで、把持片３と本体部分４とを生じる。図２には、図１に示す包装体１におけるシート２ａを、ノッチ９１，９１を有する該シート２ａの一端縁から、連結部８となるシート２の折り畳み線の位置まで引き裂くことによって、把持片３と本体部分４とを生じさせた状態が示されている。また、図２に、包装袋１１の直交方向Ｙの長さ（本体部分４の直交方向Ｙの長さに同じ）を２等分する直交方向Ｙの中心線ＣＬｘを示す。
【００１８】
把持片３及び本体部分４は、図２に示すように、それぞれ、包装袋１１の内側に向けられていた内面３１を有する。即ち、包装袋１１を引き裂くことにより、包装袋１１の内側に向けられていた内面３１が露出する。なお、包装袋１１の内側に向けられていた内面３１は、包装袋１１を引き裂き開封する前の使用前の状態において内側になっていた面を示す。
【００１９】
本発明の包装体は、包装袋１１が引き裂かれた開封状態において、保持体５が、把持片３及び本体部分４のそれぞれにおける包装袋１１の内側に向けられていた内面３１上に位置している。より具体的には、図２に示すように、包装袋１１の内側に向けられていた内面上において、把持片３側から本体部分４側に亘る１つの保持体５を有している。開封状態において保持体５は、把持片３の内面３１上と本体部分４の内面３１上とに跨って存在していてもよいし、図８に示すように、把持片３の内面３１上と本体部分４の内面３１上とのそれぞれに別体の保持体５が存在していてもよい。即ちそれぞれの内面３１に一つずつ保持体５が存在していてもよい。把持片３と本体部分４とに跨る保持体５を設けた場合、開封状態の処理具１を連結部８で折り曲げると、保持体５の反発力によって、保持体５が連結部８付近で膨らむことがある。これに対し、把持片３と本体部分４とに別体の保持体５を存在させると、斯かる保持体５の膨らみを防止することができ、例えば、把持片３と本体部分４との間に被処理物を挟んで行う処理を一層的確に行うことができる。
開封状態において保持体５は、把持片３及び本体部分４のいずれか一方又は両方の内面３１上に固定されていなくてもよい。より具体的には、粘性の高い処理剤を保持した保持体５が、把持片３及び本体部分４それぞれの内面３１に粘着することで、保持体５が把持片３及び本体部分４の内面３１上に位置してもよい。また、柔軟性の高い素材を用いた保持体５が折り畳まれた状態で包装袋１１に収容されており、包装体の引き裂きに伴って把持片３及び本体部分４を生じる際、保持体５が展開されて把持片３及び本体部分４の内面３１上に位置してもよい。
【００２０】
包装袋１１を引き裂くと、その内部に収容された保持体５が上記のように露出する。保持体５は処理剤を保持しており、保持体５を被処理物に当接させるか、好ましくは被処理物を把持片３と本体部分４との間に挟んで保持体５に当接させることで、保持体５が保持する処理剤が被処理物に移行し、被処理物を処理剤で処理することができる。また、保持体５に処理剤を保持させることで、包装袋１１を引き裂いた際に処理剤が処理具１の外へ不用意に漏れることや、処理者の指等に処理剤が付着することを防ぐことができる。また、処理具１を用いて被処理物に処理剤を塗布する際、処理者が塗布量を調整することをより容易にし、所望する塗布面積で処理をより効率的に行うことを可能とする。
【００２１】
本発明の包装体は、把持片３及び本体部分４を生じるように引き裂くことで開封状態になるが、図２で示すように、把持片３及び本体部分４は、直交方向Ｙにおける幅がそれぞれ異なる。即ち把持片３及び本体部分４は、大きさが非対称であるため、持ち易く（手で摘み易く）、後述する被処理物に処理剤を塗布する作業を容易に行える。また、本発明の包装体は、把持片３及び本体部分４それぞれの内面に保持体５が位置しているため、処理剤を塗布する作業を容易にする他、特に被処理物を包装体に挟んだ状態で塗布する作業に良好に用いることができる。さらに、本発明の包装体は、把持片３及び本体部分４を生じるように引き裂くことで使用可能な状態（開封状態）になるため、使用時に剥離シート等の不要物（ごみ）が発生しない。このように本発明の包装体は使い勝手が良い。
【００２２】
保持体５は、把持片３上に位置する部分の全体又は一部が、把持片３の内面３１に固定されていることが好ましい。包装袋１１を引き裂くことで、把持片３及び本体部分４の内面３１と共に保持体５も露出するが、保持体５の一部が、把持片３の内面に固定されていることで、後述するように、包装袋１１を開封状態とした処理具１で、頭髪等の被処理物に処理剤を塗布する際に、保持体５が落下せずに塗布作業が容易となる。また、被処理物を把持片３と本体部分４との間に挟む際にも、保持体５を把持片３が支持することがより容易となり、また処理剤を被処理物に塗布する際の取扱いがより容易になる。
【００２３】
同様の観点から、保持体５は、本体部分４上に位置する部分の全体又は一部が、該本体部分４の内面３１に固定されていることが好ましい。保持体５の一部が、本体部分４の内面に固定されていることで、包装袋１１を開封状態とした処理具１で、頭髪等の被処理物に処理剤を塗布する際に、保持体５が落下せずに塗布作業が容易であり、また、被処理物を把持片３と本体部分４との間に挟む際にも、保持体５を本体部分４が支持することがより容易となる。また処理剤を被処理物に塗布する際の取扱いがより容易になる。
また、保持体５は、把持片３の内面３１及び本体部分４の内面３１の両方に固定されていることがより好ましい。両方の内面３１に固定されていることで、保持体５同士で被処理物を挟むことができ、被処理物を挟んだ状態で保持体５を移動しながら処理する場合などにおける処理作業をより効率的に行うことができる。また、被処理物の表面に処理剤をより均一に塗布することができる。さらに、把持片３の内面３１上と本体部分４の内面３１上とのそれぞれに別体の保持体５が存在している包装体を用いて被処理物を処理する際も、把持片３及び本体部分４において保持体５を支持することがより容易となる。
【００２４】
なお、保持体５が、把持片３の内面３１上に位置する（又は本体部分４の内面３１上に位置する）という表現には、該内面３１に固定されている場合のほか、該内面３１に接した状態で存在する場合、開封状態の包装体１を、保持体５が存在する側を鉛直上方に向けて水平面上におき、把持片３と本体部分４とを一平面状に拡げた水平展開状態において、保持体５が、把持片３（又は本体部分４）の内面の鉛直上方に位置する場合が含まれる。ただし、保持体５は、把持片３の内面に固定されているか、水平展開状態においても、把持片３の内面に接触していることが好ましい。また、保持体５は、本体部分４の内面に固定されているか、水平展開状態においても、本体部分４の内面に接触していることが好ましい。
【００２５】
本実施形態においては、把持片３の内面３１に、保持体５の一部が第１固定部５１及び第２固定部５２を介して固定されている（図２参照）。図２に示すように、保持体５と把持片３の内面３１との間、及び保持体５と本体部分４の内面３１との間が、第１固定部５１及び第２固定部５２を介して相互に接合されている。第１固定部５１は、保持体５の直交方向Ｙの両端側のそれぞれにおいて、引き裂き方向Ｘに相互に離間した４箇所に形成されている。また、第２固定部５２は、保持体５の引き裂き方向Ｘの両端側のそれぞれにおいて、直交方向Ｙに延びて形成されている。
保持体５と把持片３の内面３１との間は、１箇所又は複数個所で部分的に接合されているのに代えて、把持片３の全域において接合されていても良く、また保持体５と本体部分４の内面３１との間は、１箇所又は複数個所で部分的に接合されているのに代えて、本体部分４の全域において接合されていても良い。
【００２６】
保持体５は、本体部分４上に位置する部分と把持片３上に位置する部分とが連続しており、これら両部分間に位置する折り曲げ部が、把持片３と本体部分４との連結部８側に位置するように折り畳まれた状態で包装袋１１に収容されていることが好ましい。より具体的には、図２に示すように、保持体５は、開封状態において該保持体５の本体部分４上に位置する部分と把持片３上に位置する部分とが連続した１枚のシートである。また、保持体５は、図２に示すように、本体部分４上に位置する部分と把持片３上に位置する部分との両部分間に折り曲げ部を有している。この保持体５は、包装袋１１の開封前の状態において、折り曲げ部が本体部分４と把持片３との連結部８（折り畳み線）側に位置するように、該保持体５が折り畳まれた状態で包装袋１１に収容されている（図示しない）。包装袋１１の開封前の状態における保持体５は、保持体５が本体部分４と把持片３の連結部８を境にした２つ折りにされて畳まれていてもよく、３つ折り等複数回に折られて畳まれていてもよい。折り畳まれて収容された保持体５は、開封状態において把持片３及び前記本体部分４におけるそれぞれの内面上に広がって配置されることが好ましい。
【００２７】
処理剤を被処理物（被塗布物）に塗布する際の取扱いをより容易とする観点から、保持体５はシート状であることが好ましい。また、本実施形態の保持体５の平面視形状は矩形であるが、矩形に限られず、円形、楕円形、正方形等の多角形等、任意の形状とすることができる。さらに、本実施形態の保持体５は、平面視において、引き裂き方向Ｘに沿う長辺を持つ長方形であったが、引き裂き方向Ｘに沿う短辺を持つ長方形であってもよい。さらに、本実施形態の包装袋１１は角を丸めた矩形であったが、角を丸めていなくても良い。
【００２８】
処理剤を被処理物に塗布する作業がより容易となる観点から、保持体５の面積は、好ましくは４ｃｍ２以上、より好ましくは６ｃｍ２以上であり、また好ましくは２５０ｃｍ２以下、より好ましくは２００ｃｍ２以下であり、また好ましくは４ｃｍ２以上２５０ｃｍ２以下、より好ましくは６ｃｍ２以上２００ｃｍ２以下である。
【００２９】
保持体５は、本体部分４に位置している部分と把持片３に位置している部分とが同等の面積であることが好ましい。保持体５において、把持片３に位置している部分の面積Ｓ５と、本体部分４に位置している部分の面積Ｓ６が同等であることで、被処理物（被塗布物）に処理剤をより十分な量で、より均一に塗布することが可能となる。保持体５における把持片３に位置している部分の面積Ｓ５と、本体部分４に位置している部分の面積Ｓ６はそれぞれ、好ましくは２ｃｍ２以上、より好ましくは３ｃｍ２以上であり、また好ましくは１２５ｃｍ２以下、より好ましくは１００ｃｍ２以下であり、また好ましくは２ｃｍ２以上１２５ｃｍ２以下、より好ましくは３ｃｍ２以上１００ｃｍ２以下である。本体部分４に位置している部分と把持片３に位置している部分とが同等の面積であるの「同等」とは、把持片３に位置している部分の面積Ｓ５が、本体部分４に位置している部分の面積Ｓ６の８０％以上１２０％以下であることを意味し、該割合は９０％以上１１０％以下であることがより好ましい。
【００３０】
保持体５は、処理剤の性状に応じて、処理剤を保持することができる任意の材料を用いることができる。例えば、不織布、ガーゼ、コットン、紙等の繊維シートからなる繊維素材、スポンジ等の柔軟性多孔質体、又はこれらの複合材若しくはこれらとフィルム等との複合材等の材料を用いることができる。保持体５には、繊維素材が好ましく用いられ、例えば、湿式抄造紙、スパンレース不織布、メルトブローン不織布等の各種製法による不織布などが挙げられる。また、パルプ繊維等のセルロース系繊維、ポリプロピレン、ポリエチレン等のポリオレフィン、ポリエチレンテレフタレート等のポリエステル、ナイロン等のポリアミド等の各種公知の合成繊維が挙げられる。合成繊維は、複数種類の樹脂成分からなる芯鞘型やサイドバイサイド型の複合繊維でも良い。これらの繊維は１種を単独で又は２種以上を組み合わせて用いることができる。また、これらの材料の単独または複数の種類を積層して用いてもよい。
また、保持体５の片面又は両面には、その表面にエンボス加工を施しても良い。より具体的には、保持体５の被処理物（被塗布物）に対向する面、即ち把持片３及び本体部分４の内面とは対向しない方の面に、エンボス加工によって形成された凹部５３が複数配されている（図２参照）。また、保持体５は、図２に示すように、引き裂き方向Ｘ及び直交方向Ｙにおいて複数の凹部５３が並んだ凹部列を複数有することが好ましい。
【００３１】
保持体５は処理剤を保持しているが、その保持方法は、処理剤の性状に応じて、保持体５に処理剤を保持させることができる任意の方法を用いることができる。例えば処理剤が液体である場合、保持体５を処理剤に含浸させることで、保持体５に処理剤を保持することができる。
【００３２】
本発明の包装体は、例えば、把持片３及び本体部分４との間に被処理物（以下、被塗布物ともいう）を挟んで、被処理物を処理剤で処理、即ち処理剤を被塗布物に塗布可能である。具体的には、本実施形態における処理具１による処理は、把持片３及び本体部分４との間に被塗布物を挟み、被塗布物に、把持片３及び本体部分４に支持された保持体５を当接させ、保持体５が保持した処理剤を被塗布物へ移行させることにより行うことができる。このように、被塗布物を保持体５と本体部分４との間に挟むことにより被塗布物を処理剤で処理することができるため、本発明の包装体による処理操作は容易である。また、被処理物を挟んだ状態で包装体を直交方向Ｙにスライドさせることにより、被塗布物の表面に処理剤を均一に塗布することができる。さらに、包装体による処理の際、処理剤が処理者の指等の肌に触れることを防ぐことができる。
【００３３】
処理者が、保持体５への被処理物の当接をより把握しやすい観点から、引き裂き方向Ｘに沿うシート２の長さ（Ｌ２ｂ＋Ｌ２ａ）に対する、引き裂き方向Ｘに沿う保持体５の長さ（Ｌ２ｄ＋Ｌ２ｃ）は、好ましくは２５％以上であり、より好ましくは３０％以上であり、また好ましくは９７％以下であり、より好ましくは８０％以下であり、また好ましくは２５％以上９７％以下であり、より好ましくは３０％以上８０％以下である。
【００３４】
被処理物により均一に処理剤を塗布することができる観点から、引き裂き方向Ｘに沿う本体部分４の長さ（Ｌ２ｂ）に対する、引き裂き方向Ｘに沿う把持片３の長さ（Ｌ２ａ）は、好ましくは５０％以上であり、より好ましくは６０％以上であり、一層好ましくは７５％以上であり、また好ましくは２００％以下であり、より好ましくは１８０％以下であり、一層好ましくは１５０％以下であり、また好ましくは５０％以上２００％以下であり、より好ましくは６０％以上１８０％以下であり、一層好ましくは７５％以上１５０％以下である。
【００３５】
被処理物に処理剤を移行させる作業がより容易となる観点から、引き裂き方向Ｘに沿う本体部分４における保持体５の長さ（Ｌ２ｄ）に対する、引き裂き方向Ｘに沿う把持片３における保持体５の長さ（Ｌ２ｃ）は、好ましくは７５％以上であり、より好ましくは８０％以上であり、また好ましくは１３０％以下であり、より好ましくは１２０％以下であり、また好ましくは７５％以上１３０％以下であり、より好ましくは８０％以上１２０％以下である。より均一に処理剤を塗布することができる観点から、引き裂き方向Ｘに沿う本体部分４における保持体５の長さ（Ｌ２ｄ）と把持片３における保持体５の長さ（Ｌ２ｃ）とは、同等であることが一層好ましく、同一であることがさらに一層好ましい。
【００３６】
処理者が、保持体５への被処理物の当接をより把握しやすい観点から、引き裂き方向Ｘに沿う本体部分４の長さ（Ｌ２ｂ）に対する、引き裂き方向Ｘに沿う本体部分４における保持体５の長さ（Ｌ２ｄ）は、好ましくは２５％以上であり、より好ましくは３０％以上であり、また好ましくは９７％以下であり、より好ましくは８０％以下であり、また好ましくは２５％以上９７％以下であり、より好ましくは３０％以上８０％以下である。
【００３７】
処理者が、保持体５への被処理物の当接をより把握しやすい観点から、引き裂き方向Ｘに沿う把持片３の長さ（Ｌ２ａ）に対する、引き裂き方向Ｘに沿う把持片３における保持体５の長さ（Ｌ２ｃ）は、好ましくは２５％以上であり、より好ましくは３０％以上であり、また好ましくは９７％以下であり、より好ましくは８０％以下であり、また好ましくは２５％以上９９％以下であり、より好ましくは３０％以上８０％以下である。
【００３８】
つまみ部を用いた開封のし易さおよび把持片３の引き裂きの容易性の観点から、引き裂き方向Ｘに沿う把持片３の長さ（Ｌ２ａ）に対する、引き裂き方向Ｘに沿うつまみ部９の長さ（Ｌ４ｃ）は、好ましくは１％以上であり、より好ましくは２％以上であり、一層好ましくは５％以上であり、また好ましくは３０％以下であり、より好ましくは２５％以下であり、一層好ましくは２０％以下であり、また好ましくは１％以上３０％以下であり、より好ましくは２％以上２５％以下であり、一層好ましくは５％以上２０％以下である。引き裂き方向Ｘに沿うつまみ部９の長さＬ４ｃは、把持片３の引き裂き方向Ｘにおける引き裂き開始側の端部から、開封シール部７の引き裂き開始側の端部までの長さである（図２参照）。
【００３９】
包装袋１１の密閉性、および開封時の開封し易さの観点から、引き裂き方向Ｘに沿う本体部分４又は把持片３の長さ（Ｌ２ｂ又はＬ２ａ）に対する、引き裂き方向Ｘに沿う開封シール部７の長さ（Ｌ４ｂ）は、好ましくは１％以上であり、より好ましくは２％以上であり、一層好ましくは５％以上であり、また好ましくは３０％以下であり、より好ましくは２５％以下であり、一層好ましくは２０％以下であり、また好ましくは１％以上３０％以下であり、より好ましくは２％以上２５％以下であり、一層好ましくは５％以上２０％以下である。
処理者が、保持体５への被処理物の当接をより把握し易い観点から、直交方向Ｙに沿うシート２の長さ（Ｌ１ｂ）に対する、直交方向Ｙに沿う保持体５の長さ（Ｌ１ｄ）は、好ましくは３０％以上であり、より好ましくは３５％以上であり、一層好ましくは４０％以上であり、また好ましくは９５％以下であり、より好ましくは９０％以下であり、一層好ましくは８０％以下であり、また好ましくは３０％以上９５％以下であり、より好ましくは３５％以上９０％以下であり、一層好ましくは４０％以上８０％以下である。なお、直交方向Ｙに沿うシート２の長さは、直交方向Ｙに沿う本体部分４の長さと同一である。
【００４０】
処理者が、保持体５への被処理物の当接をより把握し易い観点から、直交方向Ｙに沿う本体部分４の長さ（Ｌ１ｂ）に対する、直交方向Ｙに沿う把持片３の長さ（Ｌ３）は、好ましくは３５％以上であり、より好ましくは４０％以上であり、一層好ましくは５０％以上であり、また好ましくは９８％以下であり、より好ましくは９０％以下であり、一層好ましくは８０％以下であり、また好ましくは３５％以上９８％以下であり、より好ましくは４０％以上９０％以下であり、一層好ましくは５０％以上８０％以下である。なお、直交方向Ｙに沿う本体部分４の長さと、直交方向Ｙに沿うシート２の長さと同一である。
【００４１】
処理具１を扱う処理者の肌等に処理剤が付着することをより防止することができる観点から、直交方向Ｙに沿う把持片３の長さ（Ｌ３）に対する、直交方向Ｙに沿う保持体５の長さ（Ｌ１ｄ）は、好ましくは５０％以上であり、より好ましくは５５％以上であり、一層好ましくは６０％以上であり、また好ましくは９９％以下であり、より好ましくは９０％以下であり、一層好ましくは８５％以下であり、また好ましくは５０％以上９９％以下であり、より好ましくは５５％以上９０％以下であり、一層好ましくは６０％以上８５％以下である。
【００４２】
包装袋１１の密閉性、および開封時の開封し易さの観点から、直交方向Ｙに沿うシート２の長さ（Ｌ１ｂ）に対する、直交方向Ｙに沿う固定シール部６の長さ（Ｌ５ａ）は、好ましくは１％以上であり、より好ましくは２％以上であり、また好ましくは１５％以下であり、より好ましくは１０％以下であり、また好ましくは１％以上１５％以下であり、より好ましくは２％以上１０％以下である。なお、直交方向Ｙに沿うシート２の長さは、直交方向Ｙに沿う本体部分４の長さと同一である。
【００４３】
処理者が、保持体５への被処理物の当接をより把握し易い観点から、シート２の直交方向Ｙの中心線ＣＬｘに対し、保持体５は均等に跨るように配置するのが好ましいが、直交方向Ｙに沿って偏倚して配置させてもよい。シート２の直交方向Ｙの中心線ＣＬｘからの保持体５の直交方向Ｙに沿う一方の長さ（Ｌ５ｅ）は、他方の長さ（Ｌ５ｆ）に対して、好ましくは７０％以上であり、より好ましくは７５％以上であり、一層好ましくは８０％以上であり、また好ましくは１４０％以下であり、より好ましくは１３０％以下であり、一層好ましくは１２０％以下であり、また好ましくは７０％以上１４０％以下であり、より好ましくは７５％以上１３０％以下であり、一層好ましくは８０％以上１２０％以下である。ここで、シート２の直交方向Ｙの中心線ＣＬｘからの保持体５の直交方向Ｙに沿う一方の長さ（Ｌ５ｅ）とは、図２に示すように、開封状態において、把持片３が右に、本体部分４が左になるように包装体を置いた際に、直交方向Ｙにおける中心線ＣＬｘに対して上側の保持体５の長さであり、保持体５の直交方向Ｙに沿う他方の長さ（Ｌ５ｆ）とは、直交方向Ｙにおける中心線ＣＬｘに対して下側の保持体５の長さである。
【００４４】
処理者が、保持体５への被処理物の当接をより把握し易い観点から、シート２の直交方向Ｙの中心線ＣＬｘからの把持片３の直交方向Ｙに沿う一方の長さ（Ｌ５ｃ）に対する、該把持片３と同中心線ＣＬｘに対して同じ側に位置する保持体５の直交方向Ｙに沿う長さ（Ｌ５ｅ）は、好ましくは２５％以上であり、より好ましくは３０％以上であり、一層好ましくは４０％以上であり、また好ましくは９９％以下であり、より好ましくは９０％以下であり、一層好ましくは８５％であり、また好ましくは２５％以上９９％以下であり、より好ましくは３０％以上９０％以下であり、一層好ましくは４０％以上８５％以下である。
同様の観点から、シート２の直交方向Ｙの中心線ＣＬｘからの把持片３の直交方向Ｙに沿う他方の長さ（Ｌ５ｄ）に対する、該把持片３と同中心線ＣＬｘに対して同じ側に位置する保持体５の直交方向Ｙに沿う長さ（Ｌ５ｆ）は、好ましくは２５％以上であり、より好ましくは３０％以上であり、一層好ましくは４０％以上であり、また好ましくは９９％以下であり、より好ましくは９０％以下であり、一層好ましくは８５％であり、また好ましくは２５％以上９９％以下であり、より好ましくは３０％以上９０％以下であり、一層好ましくは４０％以上８５％以下である。
【００４５】
被処理物に処理剤を移行させる作業がより容易となる観点から、引き裂き方向Ｘに沿うシート２の長さ（Ｌ２ｂ＋Ｌ２ａ）に対し、直交方向Ｙに沿うシート２の長さ（Ｌ１ｂ）は、好ましくは１０％以上であり、より好ましくは２０％以上であり、一層好ましくは２５％以上であり、また好ましくは１０００％以下であり、より好ましくは５００％以下であり、一層好ましくは４００％であり、また好ましくは１０％以上１０００％以下であり、より好ましくは２０％以上５００％以下であり、一層好ましくは２５％以上４００％以下である。
【００４６】
被処理物に処理剤を移行させる作業がより容易となる観点から、引き裂き方向Ｘに沿う保持体５の長さ（Ｌ２ｄ＋Ｌ２ｃ）に対し、直交方向Ｙに沿う保持体５の長さ（Ｌ１ｄ）は、好ましくは１０％以上であり、より好ましくは２０％以上であり、一層好ましくは２５％以上であり、また好ましくは１０００％以下であり、より好ましくは５００％以下であり、一層好ましくは４００％であり、また好ましくは１０％以上１０００％以下であり、より好ましくは２０％以上５００％以下であり、一層好ましくは２５％以上４００％以下である。
【００４７】
上述した各部の好ましい寸法や、寸法に基づく比等は、図２に示す開封状態、好ましくは前述した水平展開状態において測定した値又は該値に基づき算出する。
【００４８】
本発明の包装体におけるシート２は、引き裂き方向Ｘに引き裂き直進性を有することが好ましい。引き裂き方向に引裂き直進性を有することで、処理具１の引き裂き（開封）がより容易となる他、開封時にシート２と共に保持体５を引き裂くことを防止することができる。引き裂き直進性とは、特定の方向に直線状に引き裂かれ易い性質や構造を有することを意味する。引き裂き直進性を有するシートとしては、例えば、ハーフカット等の厚み方向に貫通しない切断線を特定の方向に沿って直線状に設けたものや、延伸により特定方向に避けやすいように高分子を配向させたフィルム材等が挙げられる。
より具体的には、図１に示すように、シート２は、シート２の引き裂きを開始する開封開始部に、つまみ部９の両端に引き裂き方向Ｘに切れ込んだノッチ９１，９１を有している。また、開封開始部の位置を明確に示し、処理者が引き裂きを円滑に行えるよう、包装袋１１に開封開始部を始点とする引き裂き方向Ｘに沿った直線を印刷してもよい。その他、把持片３の位置に応じて、シート２に上記の複数の切断線を直線状やジグザグ状に設けても良い。このように、開封開始部において引き裂きをより開始し易くする観点から、包装袋１１は、開封開始部においてノッチ、切れ目、印刷等、又はそれらの組み合わせを有していることが好ましい。なお、開封開始部は、本実施形態の包装袋１１における第１面１２のつまみ部９である（図１参照）。また、包装袋１１における開封開始部側の端部が、シート２の引き裂きの基端であり、これに対して包装袋１１における引き裂きの基端と反対側の端部が、シート２の引き裂きの終端である。
【００４９】
本体部分４は、シート２の引き裂き方向Ｘと交差する方向（直交方向Ｙ）の片側又は両側にポケット部２２を有することが好ましい。本実施形態においては、図２に示すように、包装袋１１の第１面１２を引き裂くことによって、直交方向Ｙに離間した開封縁２１，２１が形成される。本実施形態において開封状態の包装体は、この開封縁２１と、直交方向Ｙの両側に位置するシール部６との間に、引き裂き方向Ｘに沿ってポケット部２２，２２が形成されている。ポケット部２２は内部に空間を有するため、被塗布物に保持されなかった処理剤をポケット部２２で受けることができる。特に処理剤が液体である場合、把持片３と本体部分４とを強く押圧した際に保持体５から液垂れが生じた際、液垂れをこのようにポケット部２２があることにより、処理具１の外へ処理剤が垂れることをより抑制することができる。
【００５０】
上記の効果をより確実に奏する観点から、ポケット部２２の深さ（Ｌ５ｂ）は、本体部分４の直交方向Ｙに沿う最大長さＬ１ｂに対して、好ましくは１％以上、より好ましくは２％以上であり、また好ましくは２０％以下、より好ましくは１８％以下であり、また好ましくは１％以上２０％以下、より好ましくは２％以上１８％以下である。なお、ポケット部２２の深さ（Ｌ５ｂ）とは、直交方向Ｙにおける開封縁２１からシール部６までの長さを意味する（図２参照）。
【００５１】
ポケット部２２が直交方向Ｙの両側にそれぞれ形成されている場合、両ポケット部２２を同じ深さにしても良いし、異なる深さにしても良い。例えば、被処理物（被塗布物）を処理具１で挟んだ際に、上側となるポケット部２２の深さよりも、下側となるポケット部２２の深さを大きくしても良い。
【００５２】
図３及び図４には本実施形態における処理具１の製造方法が示されている。処理具１の製造方法として、シート２の内面３１上に保持体５が重ねられ〔図３（Ａ）〕、次いで把持片３側の内面３１、又は把持片３及び本体部分４の内面３１に保持体５が固定される〔図３（Ｂ）〕。そして、シート２内に保持体５が配されるようシート２を２つに折り畳む〔図３（Ｃ）〕。次いで、折り畳まれたシート２は、引き裂き方向Ｘと交差する方向Ｙの両側に、引き裂き方向Ｘに平行な固定シール部６が形成される〔図４（Ａ）〕。固定シール部６が形成されたシート２に、引き裂き方向Ｘの基端側に開封シール部７が形成され〔図４（Ｂ）〕、処理具１が得られる。なお、処理剤の保持体への保持は、開封シール部７の形成前に行われる。シート２へ保持体５を固定する方法、並びにシート２における固定シール部６及び開封シール部７の形成方法は、接着剤を塗布する方法やヒートシール、超音波シール、高周波シール等で融着固定する方法等、公知の手段を用いることができる。
【００５３】
保持体５は、シート２の内面３１に固定後、処理剤を保持させることが好ましい。処理剤として液体、粘調体（クリーム）又は粉体のものを用いることができる。保持体５に処理剤を保持させる方法として、例えば、不織布等の保持体５をシート２の内面３１に固定させた後、処理剤を散布等により保持体５に含浸させる方法が挙げられる。保持体５に処理剤を保持させるのは、固定シール部６を形成する前〔図３（Ｂ）の状態〕でもよく、固定シール部６の形成後であって開封シール部７を形成する前〔図４（Ａ）の状態〕であってもよい。
【００５４】
シート２には、処理剤の性状に応じて、処理剤を透過させない任意の材料を用いることができる。例えば、アルミ箔、熱可塑性樹脂フィルム、不織布、紙等の材質からなるシート、またこれらを積層したシートが選択される。例えば、処理剤が液体の場合には、液不透過性であるシートが選択される。液不透過性のシートとしては、ある程度柔軟であり液不透過性のものであればその種類に特に制限はなく、例えば熱可塑性樹脂のフィルム、該フィルムにアルミニウムなどの金属薄膜をラミネートしたもの等を用いることができる。また、例えば処理剤が揮発性物質を含む場合、該揮発性物質を透過させないシート材が選択される。具体的には、シート材が液不透過性であることが好ましく、さらには液不透過性に加えて、処理剤から揮散した水蒸気やエタノールが非透過性であることがより好ましい。このような性質を有するシート材を用いることで、処理剤が液体である場合、包装袋１１内に収容されている保持体５から処理剤が滲出したり揮発したりすることを効果的に防止することができる。このような性質を有するシート材としては、例えばアルミニウムを蒸着した熱可塑性樹脂フィルム、熱可塑性樹脂フィルムの間にアルミニウムを挟んだフィルム等が挙げられる。
また、包装袋１１の第１面１２及び第２面１３において、それぞれ異なる上記のシート材を用いても良い。
【００５５】
本実施形態のシート２には、図３に示すように、上記の引き裂き直進性を付与するため、つまみ部９のＹ方向の両端部にノッチ９１，９１を設けている。また、シート２の引き裂き方向Ｘにおける両端側の中央部には、折り畳み案内部としてノッチ８１，８１が設けられている。ノッチ８１は、シート２を折り畳む際の折り目部分である、連結部８の直交方向Ｙの両端側に位置する。シート２を、両ノッチ８１間を境に２つ折りにした状態を図３（Ｃ）に示す。なお、ノッチ８１は、本実施形態のように設けてもよいし、設けなくてもよい。
【００５６】
上記の包装袋１１の平面視形状は、矩形に限られず、円形、楕円形、正方形等の任意の形状とすることができる。また、本実施形態の包装袋１１は、平面視において縦長の長方形であったが、横長の長方形であってもよい。さらに、本実施形態の包装袋１１は角を丸めた矩形であったが、角を丸めていなくても良い。
【００５７】
包装袋１１は、シート２の引き裂き方向Ｘと交差する方向Ｙの片側又は両側に、シート２と該シート２と対向する対向シートとが接合されたシール部を有することが好ましい。より具体的には、図４に示すように、図３（Ｃ）で２つ折りにしたシート２には、包装体の第１面１２を形成するシートと、該シートと対向し第２面１３を形成するシートとを接合する固定シール部６が形成される。図４（Ａ）に示すように、包装袋１１の第１面１２を形成するシート及び第２面１３を形成するシートそれぞれの内面どうしが接合されて、シート２の引き裂き方向Ｘと交差する方向Ｙの両側に、引き裂き方向Ｘに平行な固定シール部６が形成される。こうして形成された包装袋１１の固定シール部６は、直交方向Ｙの両側において、２つに折りに畳まれて、２枚重ねとなったシート２どうしを接合している。
【００５８】
包装袋１１は、シート２の引き裂き方向Ｘにおける中央位置より基端側に、シート２と該シートと対向する対向シートとが接合された開封シール部７を有することが好ましい。より具体的には、図４（Ａ）において固定シール部が形成されたシート２に、引き裂き方向Ｘの基端側に開封シール部７が形成される〔図４（Ｂ）参照〕。このように、固定シール部６，６と開封シール部７とでシート２と対向シートとを接合することにより、保持体５を密閉状態で収容することができるため、処理剤の保存性をより向上させることができる。また、保持体５を密閉状態で収容するため、処理剤が漏出して汚れることを防止することができる他、携帯性がより高まり、外出先等の様々な場面での利便性が良好になる。
また、包装袋１１の引き裂き作業をより容易にする観点から、固定シール部６は開封シール部７よりもシール強度が強いことが好ましい。
【００５９】
また、開封シール部７は、引き裂き開始端部、即ち引き裂き方向Ｘの基端側の端部よりも引き裂き方向Ｘの終端側に位置していることが好ましい。図４に示すように、開封シール部７は包装袋１１の引き裂きを開始する端部側から間隔を空けて位置することが好ましい。後述する図５に示すように、シート２を直交方向Ｙに沿って両開きにしやすいようにして、つまみ部９を設けるためである。つまり、図５に示すように、包装袋１１は、引き裂きを開始するつまみ部９において、２枚重ねとなったシート２どうしが接合されておらず、両シート２を直交方向Ｙに沿って両開きにすることができる。引き裂き作業をより容易とするためである。
【００６０】
シート２の引き裂き位置が、引き裂き方向Ｘと交差する方向Ｙにおいて、シート２ａと該シート２ａと対向する対向シート２ｂとが接合されたシール部（本実施形態の固定シール部６，６）より中央側に位置していることが好ましい。包装袋１１の引き裂き作業がより容易となる他、包装袋１１の第１面１２と共に保持体５を引き裂くことをより防止するためである。本実施形態におけるシート２の引き裂き位置は、図２の直交方向Ｙにおけるノッチ９１間の領域及び開封縁２１間の領域である。
【００６１】
包装袋１１は、把持片３及び本体部分４が生じるようにシート２を引き裂く際に、引き裂き方向Ｘと交差する方向Ｙに沿って、シート２どうしを接合しているシール部（本実施形態の開封シール部７）におけるシート間が剥離することが好ましい。引き裂き作業をより容易とするためである。一方、同様の観点から、固定シール部６，６は共に、シート２の第１面１２と第２面１３とを剥離不可能に接合していることが好ましい。即ち、引き裂き方向Ｘに沿って、シート２どうしを接合している固定シール部６，６は、シート２どうしを剥離不可能に接合していることが好ましい。
図４において、固定シール部６，６の次に開封シール部７が形成されているが、開封シール部７が先に形成されてもよい。固定シール部６及び開封シール部７の形成には、超音波シール、ヒートシール、高周波シール、接着剤等の公知の接合手段が用いられる。
【００６２】
図５は、処理具１を引き裂いて開封する過程を示している。本実施形態の処理具１は、図５（Ａ）に示すように、つまみ部９においてシート２を両開きにできる。また、つまみ部９の、直交方向Ｙにおける両端部にはノッチ９１，９１が形成されていることが好ましい。引き裂き方向Ｘに直進性を付与するためである。
次に、包装袋１１の第１面１２を形成するシート２を、つまみ部９から引き裂きを開始し、引き裂き方向Ｘに引き裂いていく〔図５（Ｂ）〕。この引き裂きに伴い、開封シール部７が剥離される。
そして、第１面１２のシート２を完全に引き裂くことで、保持体５の被処理物（被塗布物）と当接する側の内面３１と保持体５とが露出する〔図５（Ｃ）〕。
【００６３】
被塗布物は、好ましくは頭髪等の毛髪である。頭髪等の毛髪の処理剤としては、シャンプー剤、リンス剤、ヘアトリートメント剤、プレヘアトリートメント剤、ヘアカラーリング剤、脱色剤、パーマネント液、永久染毛剤、半永久染毛料、一時染毛料、整髪剤、ヘアトニック剤、育毛・養毛剤等を用いることができる。
毛髪は、頭髪以外の毛髪でも良く、例えば、眉毛、まつ毛等であっても良い。また毛髪は、ヒト以外の哺乳類の毛髪であっても良く、例えば、犬や猫、ウサギ等のペットや家畜の体毛であっても良い。
また、被処理物（被塗布物）は、毛髪以外のもの、例えば、爪、口唇、肌等であっても良い。爪の処理剤としては、マニキュア、ペディキュア等から選択される。口唇の処理剤としては、口紅、リップクリーム、リップグロス等を用いることができる。肌の処理剤としては、保湿クリーム、日焼け止めクレーム、ファンデーション、アイシャドー、虫除け剤、消毒剤、除菌剤等を用いることができる。
【００６４】
本発明の包装体を用いた処理剤の塗布方法について説明する。本発明の処理剤の塗布方法は、包装袋１１の一面を形成するシート２を引き裂いて把持片３と本体部分４とを形成する工程、及び把持片３と本体部分４との間に被塗布物を挟み、保持体５の処理剤を被塗布物に塗布する工程を具備する。
図１に示す被塗布物の処理具１を用いた被塗布物の塗布方法について、毛髪処理剤で処理する場合を例にして説明する。図６は、本実施形態の処理具１によって毛髪を処理する方法を示している。処理具１を用いる処理者は、図５（Ａ）から図５（Ｃ）に示すように処理具１を開封する前後に、図６（Ａ）に示すように、頭髪から処理したい毛髪の一部を取り分けて毛束１００を作っておく。毛束１００を取り分ける前又は後に、包装袋１１の一面を形成するシート２を引き裂いて、把持片３と本体部分４とを形成する即ち包装袋１１を開封する。そして、取り分けた毛束１００を、開封した処理具１の把持片３と本体部分４との間に毛髪を挟み、保持体５を毛髪に当接させて、保持体５に保持させた処理剤を毛髪に塗布する。処理具１で挟む毛髪の位置について、毛束の中間、すなわち毛束１００の根元と毛先の間を処理具１で挟む他、毛束１００の根元部分を処理具１で挟むことも、毛束１００の毛先部分を処理具１で挟むこともできる。この際、毛束１００を挟んだ処理具１を、直交方向Ｙに沿って毛先に向かってスライドさせることが好ましい〔図６（Ｂ）参照〕。本発明の包装体は本操作に好ましく用いることができる。毛髪に対してより均一に処理剤を塗布することができるからである。以上の操作を毛髪全体に対して行うことができる〔図６（Ｃ）〕。また、頭髪のうちの一部、さらには前髪や顔回り部分、毛先部分、根元部分に対しても行うことができる〔図６（Ｃ）〕。
このように、本発明の包装体は、毛髪を被塗布物としてその処理に好ましく用いることができる。なお、図６（Ａ）に示すように、毛髪の一部をきれいに処理（塗布）したい場合は該頭髪から処理したい毛髪の一部を取り分けて毛束１００を作っておくことが好ましいが、毛束１００を作らなくても本処理方法を行うことができる。
【００６５】
また、図７（Ａ）及び（Ｂ）は、本実施形態の処理具１によって毛髪を処理する別の方法を示している。処理者は、上記の方法と同様に、包装袋１１の一面を形成するシート２を引き裂いて、把持片３と本体部分４とを形成し、処理具１を開封状態にする。次に、処理具１を把持片３及び本体部分４の内面３１を広げた状態で処理者の手の上に載せ、処理具１の内面３１即ち保持体５が毛髪に当接するように毛髪の根元付近に処理具１をあてがう〔図７（Ａ）〕。保持体５を毛髪に当接した状態で、処理具１を毛先に向かって移動させ〔図７（Ｂ）〕、処理剤を毛髪に塗布する。また、根元付近だけでなく毛髪の毛先や、毛髪の中間、すなわち毛髪の根元と毛先の間において、上述の操作をすることもできる。毛髪全体に均一に塗布する観点から毛束の根元から本操作を行うことが好ましい。
このように、本発明の包装体を用いた処理剤の別の塗布方法として、包装袋１１の一面を形成するシート２を引き裂いて把持片３と本体部分４とを形成した後、把持片３と本体部分４の内面３１を広げた状態で、把持片３及び本体部分４の内面上に位置する保持体５を被塗布物にあてがい、保持体５の処理剤を被塗布物に塗布することもできる。
【符号の説明】
【００６６】
１      処理具
１１    包装袋
１２  第１面
１３  第２面
２      シート
２１  開封縁
２２  ポケット部
３      把持片
３１  内面
３２  外面
４      本体部分
５      保持体
６      固定シール部
７      開封シール部
８１  ノッチ
８      連結部
９      つまみ部
９１  ノッチ
１００  毛束
Ｘ  引き裂き方向
Ｙ  直交方向
【図１】
2018034892.tif 000003
【図２】
2018034892.tif 000004
【図３】
2018034892.tif 000005
【図４】
2018034892.tif 000006
【図５】
2018034892.tif 000007
【図６】
2018034892.tif 000008
【図７】
2018034892.tif 000009
【図８】
2018034892.tif 000010